(57)【要約】    【課題】  高ズーム比で、しかも全ズーム範囲にわたり高い光学性能が得られるコンパクトなズームレンズを得ること。    【解決手段】  物体側より像側へ順に、正の屈折力の第１レンズ群、負の屈折力の第２レンズ群、正の屈折力の第３レンズ群、正の屈折力の第４レンズ群を有し、ズーミングに際して、該第２レンズ群と第４レンズ群が光軸上を移動するズームレンズであって、該第３レンズ群は、物体側より像側へ順に、負の屈折力の第３Ａレンズ群と、像を変位させるために光軸と垂直方向の成分を持つ方向に移動する正の屈折力の第３Ｂレンズ群から成り、該第３Ｂレンズ群は、正レンズと負レンズを接合した接合レンズを有し、該接合レンズの物体側と像側の面の曲率半径を各々Ｒ３Ａ、Ｒ３Ｂとするとき    ５＜｜（Ｒ３Ａ＋Ｒ３Ｂ）／（Ｒ３Ａ−Ｒ３Ｂ）｜＜３０なる条件を満足すること。【選択図】    図１
2010237456.tif 000002
【特許請求の範囲】
【請求項１】
物体側より像側へ順に、正の屈折力の第１レンズ群、負の屈折力の第２レンズ群、正の屈折力の第３レンズ群、正の屈折力の第４レンズ群を有し、ズーミングに際して、該第２レンズ群と第４レンズ群が光軸上を移動するズームレンズであって、該第３レンズ群は、物体側より像側へ順に、負の屈折力の第３Ａレンズ群と、像を変位させるために光軸と垂直方向の成分を持つ方向に移動する正の屈折力の第３Ｂレンズ群から成り、該第３Ｂレンズ群は、正レンズと負レンズを接合した接合レンズを有し、該接合レンズの物体側と像側の面の曲率半径を各々Ｒ３Ａ、Ｒ３Ｂとするとき
５＜｜（Ｒ３Ａ＋Ｒ３Ｂ）／（Ｒ３Ａ−Ｒ３Ｂ）｜＜３０
なる条件を満足することを特徴とするズームレンズ。
【請求項２】
物体側より像側へ順に、正の屈折力の第１レンズ群、負の屈折力の第２レンズ群、正の屈折力の第３レンズ群、正の屈折力の第４レンズ群を有し、ズーミングに際して、該第２レンズ群と第４レンズ群が光軸上を移動するズームレンズであって、該第３レンズ群は、物体側より像側へ順に、負の屈折力の第３Ａレンズ群と、像を変位させるために光軸と垂直方向の成分を持つ方向に移動する正の屈折力の第３Ｂレンズ群から成り、該第３Ｂレンズ群は、少なくとも１つの正レンズと、負レンズを有し、該第３Ａレンズ群の物体側に開口絞りを有し、広角端における開放Ｆナンバーでの該開口絞りの開口径をＳｐａ、該第３Ｂレンズ群が有する正レンズの合計の肉厚をＤｐ、該第３Ｂレンズ群が有する負レンズの広角端における開放Ｆナンバーでの該開口絞りの開口径の半分の光軸からの高さにおけるレンズ厚の総厚をＫｎとするとき
０．４＜（Ｄｐ＋Ｋｎ）／Ｓｐａ＜０．７
なる条件を満足することを特徴とするズームレンズ。
【請求項３】
前記第３Ａレンズ群と前記第３Ｂレンズ群の焦点距離を各々ｆ３Ａ、ｆ３Ｂとするとき
１．３＜｜ｆ３Ａ／ｆ３Ｂ｜＜２．５
なる条件を満足することを特徴とする請求項１又は２のズームレンズ。
【請求項４】
前記第３レンズ群の焦点距離をｆ３、広角端と望遠端における全系の焦点距離を各々ｆｗ、ｆｔとするとき
【数１】
2010237456.tif 000007
なる条件を満足することを特徴とする請求項１、２又は３のズームレンズ。
【請求項５】
前記第１レンズ群は物体側から像側へ順に、負レンズ、正レンズ、正レンズ、正レンズより成り、該第１レンズ群の焦点距離をｆ１、望遠端における全系の焦点距離をｆｔ、該第１レンズ群のうちの１つの正レンズの材料のアッベ数をＶ１Ａ、他の１つの正レンズの材料のアッベ数をＶ１Ｂとるすとき
０．７＜ｆ１／ｆｔ＜１．０
６５＜Ｖ１Ａ＜７５
７０＜Ｖ１Ｂ
なる条件を満足することを特徴とする請求項１乃至４のいずれか１項のズームレンズ。
【請求項６】
前記第４レンズ群は物体側に正レンズを像側に負レンズと正レンズとを接合した接合レンズを有することを特徴とする請求項１乃至５のいずれか１項のズームレンズ。
【請求項７】
請求項１から６のいずれか１項のズームレンズと、該ズームレンズによって形成された像を受光する固体撮像素子とを有していることを特徴とする撮像装置。
【発明の詳細な説明】
【技術分野】
【０００１】
本発明はズームレンズ及びそれを有する撮像装置に関し、特にビデオカメラ、銀塩写真用カメラ、デジタルカメラ、ＴＶカメラ、監視用カメラに好適なものである。
【背景技術】
【０００２】
近年、固体撮像素子を用いたビデオカメラ、デジタルスチルカメラ等の撮像装置に用いる撮影光学系としてコンパクトで高解像の光学性能を有したズームレンズが要望されている。更に、これらのズームレンズには、被写体を撮影するとき、ズームレンズに振動が生じると、撮影画像にぶれが生じるため、撮影画像のぶれを防止する防振機能を有していることが要望されている。
【０００３】
これらの要望に答えるズームレンズとして、物体側から像側へ順に正、負、正、正の屈折力の第１、第２、第３、第４レンズ群より成る４群構成のズームレンズがある。この４群ズームレンズにおいて、ズーミングに際して第２、第４レンズ群が移動し、又一部のレンズ群を変位させて画像ぶれを補正したものが知られている。このうち第３レンズ群を負の屈折力のレンズ群と正の屈折力のレンズ群に分割し、該正の屈折力のレンズ群を光軸と垂直方向に振動させて静止画像を得る、防振機能を有したズームレンズが知られている（例えば特許文献１〜４）。
【先行技術文献】
【特許文献】
【０００４】
【特許文献１】特開平７−１２８６１９号公報
【特許文献２】特開平１１−２３７５５０号公報
【特許文献３】特開２００２−２４４０３７号公報
【特許文献４】特開２００３−３２２７９５号公報
【発明の概要】
【発明が解決しようとする課題】
【０００５】
近年、撮像装置に用いる撮影レンズ系（撮影光学系）には、Ｆｎｏ（Ｆナンバー）が小さく、広画角、高倍率であり、更に防振系を有したズームレンズであることが要求されている。このような要素を全て満足させると、結果として撮影光学系が大型化し、防振を行う光学部品も大型化し、装置全体の重量が増加してくる。例えば防振を行う光学部品の重量が増加すると、それを動作させるのに大きな駆動力を持つ駆動源を採用しなければならない。この結果、駆動源を含めた光学系ユニット全体が大型化し、重量が増加してくる。また、防振系の重量が増加すると、防振動作の応答性が低下し、迅速なる制御が困難となり、防振動作時に意図しない不自然な動作や、滑らかでない動作、防振動作の遅延などが発生してくる。
【０００６】
一方、防振のために、ズームレンズの一部のレンズ群を、光軸に対して垂直方向に平行偏心させる方法は、防振が容易であるが防振の際に偏心収差が多く発生し、光学性能が大きく低下してくる。この為、防振機構を有するズームレンズは、防振用のレンズ群が小型軽量であること、そして画像ぶれの補正時（防振時）に光学的な性能劣化が少ないこと等が重要となっている。
【０００７】
本発明は、高ズーム比で、かつ全ズーム範囲にわたり高い光学性能を有したズームレンズ及びそれを有する撮像装置の提供を目的とする。この他本発明は、防振用のレンズ群が小型で、かつ振動補償時に良好な画像を維持することができる防振機能を有したズームレンズの提供を目的とする。
【課題を解決するための手段】
【０００８】
本発明のズームレンズは、物体側より像側へ順に、正の屈折力の第１レンズ群、負の屈折力の第２レンズ群、正の屈折力の第３レンズ群、正の屈折力の第４レンズ群を有し、ズーミングに際して、該第２レンズ群と第４レンズ群が光軸上を移動するズームレンズであって、該第３レンズ群は、物体側より像側へ順に、負の屈折力の第３Ａレンズ群と、像を変位させるために光軸と垂直方向の成分を持つ方向に移動する正の屈折力の第３Ｂレンズ群から成り、該第３Ｂレンズ群は、正レンズと負レンズを接合した接合レンズを有し、該接合レンズの物体側と像側の面の曲率半径を各々Ｒ３Ａ、Ｒ３Ｂとするとき
５＜｜（Ｒ３Ａ＋Ｒ３Ｂ）／（Ｒ３Ａ−Ｒ３Ｂ）｜＜３０
なる条件を満足することを特徴としている。
【０００９】
この他、本発明のズームレンズは、物体側より像側へ順に、正の屈折力の第１レンズ群、負の屈折力の第２レンズ群、正の屈折力の第３レンズ群、正の屈折力の第４レンズ群を有し、ズーミングに際して、該第２レンズ群と第４レンズ群が光軸上を移動するズームレンズであって、該第３レンズ群は、物体側より像側へ順に、負の屈折力の第３Ａレンズ群と、像を変位させるために光軸と垂直方向の成分を持つ方向に移動する正の屈折力の第３Ｂレンズ群から成り、該第３Ｂレンズ群は、少なくとも１つの正レンズと、負レンズを有し、該第３Ａレンズ群の物体側に開口絞りを有し、広角端における開放Ｆナンバーでの該開口絞りの開口径をＳｐａ、該第３Ｂレンズ群が有する正レンズの合計の肉厚をＤｐ、該第３Ｂレンズ群が有する負レンズの広角端における開放Ｆナンバーでの該開口絞りの開口径の半分の光軸からの高さにおけるレンズ厚の総厚をＫｎとするとき
０．４＜（Ｄｐ＋Ｋｎ）／Ｓｐａ＜０．７
なる条件を満足することを特徴としている。
【発明の効果】
【００１０】
本発明によれば、高ズーム比で、しかも全ズーム範囲にわたり高い光学性能が得られるコンパクトなズームレンズが得られる。この他、本発明によれば、防振用のレンズ群の小型化を図りつつ、防振用のレンズ群を偏心させた時の偏心収差が少なく、高い光学性能を有するズームレンズが得られる。
【図面の簡単な説明】
【００１１】
【図１】実施例１のズームレンズの広角端におけるレンズ断面図
【図２】実施例１のズームレンズの諸収差図
【図３】実施例２のズームレンズの広角端におけるレンズ断面図
【図４】実施例２のズームレンズの諸収差図
【図５】実施例３のズームレンズの広角端におけるレンズ断面図
【図６】実施例３のズームレンズの諸収差図
【図７】実施例４のズームレンズの広角端におけるレンズ断面図
【図８】実施例４のズームレンズの諸収差図
【図９】実施例５のズームレンズの広角端におけるレンズ断面図
【図１０】実施例５のズームレンズの諸収差図
【図１１】本発明の撮像装置の要部概略図
【発明を実施するための形態】
【００１２】
以下、図面を用いて本発明のズームレンズ及びそれを有する撮像装置の実施例について説明する。本発明のズームレンズは、物体側より像側へ順に、正の屈折力の第１レンズ群、負の屈折力の第２レンズ群、正の屈折力の第３レンズ群、正の屈折力の第４レンズ群を有する。そしてズーミングに際して、第２レンズ群と第４レンズ群が光軸上を移動する。第３レンズ群は、物体側より像側へ順に、負の屈折力の第３Ａレンズ群と、像を変位させるために光軸と垂直方向の成分を持つ方向に移動する正の屈折力の第３Ｂレンズ群（防振レンズ群）から成っている。
【００１３】
図１は実施例１のズームレンズの広角端におけるレンズ断面図、図２（Ａ）、（Ｂ）、（Ｃ）は実施例１のズームレンズの無限遠物体にフォーカスしているときの広角端（短焦点距離端）、中間のズーム位置、望遠端（長焦点距離端）における収差図である。図３は実施例２のズームレンズの広角端におけるレンズ断面図、図４（Ａ）、（Ｂ）、（Ｃ）は実施例２のズームレンズの無限遠物体にフォーカスしているときの広角端、中間のズーム位置、望遠端における収差図である。図５は実施例３のズームレンズの広角端におけるレンズ断面図、図６（Ａ）、（Ｂ）、（Ｃ）は実施例３のズームレンズの無限遠物体にフォーカスしているときの広角端、中間のズーム位置、望遠端における収差図である。図７は実施例４のズームレンズの広角端におけるレンズ断面図、図８（Ａ）、（Ｂ）、（Ｃ）は実施例４のズームレンズの無限遠物体にフォーカスしているときの広角端、中間のズーム位置、望遠端における収差図である。図９は実施例５のズームレンズの広角端におけるレンズ断面図、図１０（Ａ）、（Ｂ）、（Ｃ）は実施例５のズームレンズの無限遠物体にフォーカスしているときの広角端、中間のズーム位置、望遠端における収差図である。図１１は本発明のズームレンズを備えるビデオカメラ（撮像装置）の要部概略図である。
【００１４】
レンズ断面図において、Ｂ１は正の屈折力（光学的パワー＝焦点距離の逆数）の第１レンズ群、Ｂ２は負の屈折力の第２レンズ群、Ｂ３は正の屈折力の第３レンズ群、Ｂ４は正の屈折力の第４レンズ群である。第３レンズ群Ｂ３は負の屈折力の第３Ａレンズ群Ｂ３Ａと防振のため（画像の変位を調整するため）に光軸と垂直方向の成分を持つ方向に移動する正の屈折力の第３Ｂレンズ群Ｂ３Ｂを有している。なお、防振のための移動としては光軸上のある点を回転中心とした揺動（回転移動）でも良い。光軸と垂直方向の成分を持つ方向に防振用の第３Ｂレンズ群Ｂ３Ｂを移動させれば、像の面内での移動が可能となる。Ｇは光学フィルター、フェースプレート等に相当する光学ブロックであり、後述する数値実施例では、屈折力のない第５レンズ群として示している。ＩＰは像面であり、ビデオカメラやデジタルスチルカメラの撮影光学系として使用する際にはＣＣＤセンサやＣＭＯＳセンサ等の固体撮像素子（光電変換素子）の撮像面が、銀塩フィルム用カメラのときはフィルム面に相当する。ＳＰは開口絞りであり、第３Ａレンズ群Ｂ３Ａの物体側に設けている。
【００１５】
球面収差図において実線はｄ線、２点鎖線はｇ線である。非点収差図において点線はメリディオナル像面、実線はサジタル像面である。倍率色収差はｇ線によって表している。ＦｎｏはＦナンバー、ωは半画角である。尚、以下の各実施例において広角端と望遠端のズーム位置とは変倍用のレンズ群（各実施例では第２レンズ群Ｂ２）が機構上光軸上を移動可能な範囲の両端に位置したときのズーム位置をいう。
【００１６】
各実施例では、広角端から望遠端のズーム位置へのズーミングに際して、第２レンズ群Ｂ２を像側へ移動させて変倍を行うと共に、変倍に伴う像面変動を第４レンズ群Ｂ４を物体側に凸状の軌跡の一部を有しつつ移動させて補正している。また、第４レンズ群Ｂ４を光軸上移動させてフォーカシングを行うリアフォーカス方式を採用している。第４レンズ群Ｂ４の実線の曲線４ａと点線の曲線４ｂは、各々無限遠物体と近距離物体にフォーカスしているときの広角端から望遠端のズーム位置へのズーミングの際の像面変動を補正するための移動軌跡である。このように第４レンズ群Ｂ４を物体側へ凸状の軌跡とすることで、第３レンズ群Ｂ３と第４レンズ群Ｂ４との間の空間の有効利用を図り、レンズ全長の短縮化を効果的に達成している。なお、第１レンズ群Ｂ１と第３レンズ群Ｂ３はズーミング及びフォーカスのためには不動である。
【００１７】
各実施例において、例えば望遠端のズーム位置において無限遠物体から近距離物体へフォーカスを行う場合には、矢印４ｃに示すように第４レンズ群Ｂ４を前方に繰り出すことで行っている。各実施例においては、第３Ｂレンズ群（防振レンズ群）Ｂ３Ｂを光軸と垂直方向の成分を持つ方向に移動させて光学系全体が振動したときの像ぶれ（画像ぶれ）を補正するようにしている。各実施例のズームレンズは、広角端における画角（撮影画角）を広くしながら、高変倍比（高ズーム比）とするため、物体側から像側へ順に正、負、正、正の屈折力のレンズ群を有するレンズ構成としている。そして広角端から望遠端へのズーミングに際し、第２レンズ群Ｂ２と第４レンズ群Ｂ４を移動させることで、高ズーム比でありながら高性能を維持し、かつ少ない移動レンズ群数で高ズーム比化を実現している。
【００１８】
各実施例において、第１レンズ群Ｂ１は、負（負の屈折力の）レンズ、正（正の屈折力の）レンズ、正レンズ、正レンズより成っている。具体的には物体側から像側へ順に、負レンズ、両凸形状の正レンズ、物体側が凸面の正レンズ、物体側が凸面でメニスカス形状の正レンズより成っている。第２レンズ群Ｂ２は物体側から像側へ順に、像側が凹面でメニスカス形状の２つの負レンズ、両凹形状の負レンズ、両凸形状の正レンズより成っている。第２レンズ群Ｂ２は、このようなレンズ構成によって、ズーミングに際して、収差変動を少なくしている。第３レンズ群Ｂ３は１面以上の非球面を有するようにしている。第３レンズ群Ｂ３は、特に広角端において軸上の光線束が高い位置を通過し、球面収差やコマ収差が大きく発生する。そこで、非球面を導入することでより効果的に収差補正を行っている。
【００１９】
さらに好ましくは、第３レンズ群は両面が非球面形状のレンズを有するように構成するのが良い。第３レンズ群Ｂ３は、ズーム中間域において軸外の光線束が高い位置を通過し、非点収差や像面湾曲が大きく発生する。そこで、非球面を導入することでより効果的に収差補正を行うことが容易となる。さらに両面を非球面形状とすることで、非球面レンズの枚数を増加させる事なく、上述した広角端での収差補正とズーム中間域での収差補正を同時に行うのが容易になる。第３レンズ群Ｂ３は、物体側より像側へ順に、負の屈折力の第３Ａレンズ群Ｂ３Ａと、正の屈折力の第３Ｂレンズ群Ｂ３Ｂにより構成している。これによって十分な長さのバックフォーカスを確保している。
【００２０】
第３Ａレンズ群Ｂ３Ａは、物体側から像側へ順に、負レンズと両凸形状の正レンズを接合した接合レンズ、負レンズより成っている。又は負レンズと正レンズを接合した接合レンズより成っている。又は負レンズと正レンズと負レンズとを接合した接合レンズより成っている。第３Ｂレンズ群Ｂ３Ｂは、非球面形状のレンズ面を含む正レンズ、負レンズと正レンズとを接合した接合レンズより成っている。又は非球面形状のレンズ面を含む正レンズ、正レンズと負レンズとを接合した接合レンズより成っている。第３Ｂレンズ群Ｂ３Ｂは負レンズと、正レンズを１枚以上備え、また非球面レンズを有することで防振動作時においても収差変動を良好に保っている。この時、第３Ｂレンズ群Ｂ３Ｂの正レンズと負レンズの形状を適切にすることで、第３Ｂレンズ群Ｂ３Ｂの体積を削減し、軽量な防振レンズ群を構成している。
【００２１】
第４レンズ群Ｂ４は、物体側から順に正レンズと、負レンズと正レンズの接合レンズを有している。そして１面以上の非球面を備え、フォーカス動作を行う。このレンズ構成とすることで、フォーカス動作の際に発生する収差変動を良好に補正している。さらに好ましくは、第４レンズ群Ｂ４は両面が非球面形状のレンズを有するように構成するのが良い。第４レンズ群Ｂ４は、望遠端において軸外の光線束が高い位置を通過し、非点収差や像面湾曲が大きく発生する。そこで、非球面を導入することでより効果的に収差補正を行うことが容易となる。さらに両面を非球面とすることで、非球面レンズの枚数を増加させる事なく、上述したフォーカス動作時の収差変動の補正と、望遠端での収差補正を同時に行うのが容易になる。
【００２２】
具体的なレンズ形状として、第４レンズ群Ｂ４は、物体側から像側へ順に、両凸形状の正レンズ、像側が凹面でメニスカス形状の負レンズと、物体側が凸面の正レンズとを接合した接合レンズより成っている。これによってフォーカスの際の収差変動が少なくなるようにしている。各実施例のズームレンズにおいて、第３Ｂレンズ群Ｂ３Ｂは、正レンズと負レンズを接合した接合レンズを有している。そして接合レンズの物体側と像側の面の曲率半径を各々Ｒ３Ａ、Ｒ３Ｂとする。このとき
５＜｜（Ｒ３Ａ＋Ｒ３Ｂ）／（Ｒ３Ａ−Ｒ３Ｂ）｜＜３０  ‥‥‥（１）
なる条件式を満足している。第３Ｂレンズ群Ｂ３Ｂは、少なくとも正レンズと負レンズをそれぞれ１つ以上有することで、防振動作の際に発生する倍率色収差の変動を抑制している。広角端から望遠端のズーミングに際し、第２レンズ群Ｂ２と第４レンズ群Ｂ４を移動レンズ群とした変倍機構を実現しようとするとレンズ系全体が大型化しやすく、防振レンズ群もまた大型化してしまう。各実施例では、第３Ｂレンズ群Ｂ３Ｂを構成する正レンズと負レンズとを接合した接合レンズの形状を条件式（１）を満足することで、より軽量な防振レンズ群を構成している。
【００２３】
条件式（１）は第３Ｂレンズ群Ｂ３Ｂにおける接合レンズの物体側の面の曲率と像面側の面の曲率の差に関する。条件式（１）の下限を越えると第３Ｂレンズ群Ｂ３Ｂを構成するレンズの曲率半径の差が大きくなり、小さな曲率半径をもつレンズが存在することを意味する。曲率半径が小さくなると正レンズの場合、肉厚が増加することを意味し、レンズの体積が増加してしまい重量が増え、防振レンズ群である第３Ｂレンズ群Ｂ３Ｂの重量が増えてくるので好ましくない。同様に負レンズの曲率半径が小さくなると、レンズのコバ部の体積が増加し防振レンズ群である第３Ｂレンズ群Ｂ３Ｂの重量が増えてくるので好ましくない。
【００２４】
条件式（１）の上限を越えると、接合レンズの物体側の面の曲率半径と像面側の面の曲率半径の差が小さくなる。物体側の面の曲率半径と像面側の面の曲率半径の差が小さくなると、レンズの接合の加工が難しくなり、製造誤差が大きくなり好ましくない。第３Ｂレンズ群Ｂ３Ｂの重量を削減しつつ製造上の安定性を確保するために条件式（１）の数値範囲は以下の条件式（１ａ）を満足することがより好ましい。
【００２５】
８＜｜（Ｒ３Ａ＋Ｒ３Ｂ）／（Ｒ３Ａ−Ｒ３Ｂ）｜＜２６  ‥‥‥（１ａ）
又、各実施例のズームレンズにおいて、第３Ｂレンズ群Ｂ３Ｂは、少なくとも１つの正レンズと、負レンズを有している。第３Ａレンズ群Ｂ３Ａの物体側に開口絞りＳＰを有している。広角端における開放Ｆナンバーでの開口絞りの開口径をＳｐａ、第３Ｂレンズ群Ｂ３Ｂが有する正レンズの合計の肉厚をＤｐとする。第３Ｂレンズ群Ｂ３Ｂが有する負レンズの広角端における開放Ｆナンバーでの開口絞りＳＰの開口径の半分の光軸からの高さにおけるレンズ厚の総厚をＫｎとする。このとき
０．４＜（Ｄｐ＋Ｋｎ）／Ｓｐａ＜０．７    ‥‥‥（２）
なる条件を満足している。
【００２６】
条件式（２）は、第３Ｂレンズ群Ｂ３Ｂにおける、正レンズの総肉厚と、負レンズのコバ部の厚さに関する。条件式（２）の上限を越えると、第３Ｂレンズ群Ｂ３Ｂのレンズの体積が増加すること示し、すなわち重量が増加してしまうことになり好ましくない。また、下限値を越えると第３Ｂレンズ群Ｂ３Ｂにおける、正レンズのコバ厚が少なくなる、もしくは負レンズの中心肉厚が薄すぎる、などの状態となり製造が困難となり好ましくない。第３Ｂレンズ群Ｂ３Ｂの重量を軽減しつつ製造上の安定性を確保するために条件式（２）の数値範囲は以下の条件式（２ａ）を満足することがより好ましい。
【００２７】
０．４４＜（Ｄｐ＋Ｋｎ）／Ｓｐａ＜０．６０    ‥‥‥（２ａ）
以上のような構成とすることで各実施例では、高ズーム比でありながら防振レンズ群を小型・軽量とすることができるズームレンズを達成している。各実施例のズームレンズにおいて、更に防振レンズ群の小型化を図りつつ、防振の際に良好なる光学性能を維持するためには、以下の条件式のうち１以上を満足するのが良い。これによれば、条件式に対応した効果が得られる。第３Ａレンズ群Ｂ３Ａと第３Ｂレンズ群Ｂ３Ｂの焦点距離を各々ｆ３Ａ、ｆ３Ｂとする。第３レンズ群Ｂ３の焦点距離をｆ３、広角端と望遠端における全系の焦点距離を各々ｆｗ、ｆｔとする。第１レンズ群Ｂ１の焦点距離をｆ１とする。第１レンズ群Ｂ１のうちの１つの正レンズの材料のアッベ数をＶ１Ａ、他の１つの正レンズの材料のアッベ数をＶ１Ｂとるす。このとき、
１．３＜｜ｆ３Ａ／ｆ３Ｂ｜＜２．５    ‥‥‥（３）
【００２８】
【数２】
2010237456.tif 000003
【００２９】
０．７＜ｆ１／ｆｔ＜１．０      ‥‥‥（５）
６５＜Ｖ１Ａ＜７５              ‥‥‥（６）
７０＜Ｖ１Ｂ                    ‥‥‥（７）
なる条件のうち１以上を満足するのが良い。条件式（３）は適切な防振作用と防振動作時に十分に高い光学特性を維持するためのものである。この他、条件式（３）は、第３レンズ群Ｂ３内の２つの部分レンズ群の屈折力における好ましい範囲に関する。条件式（３）の上限値を越えて第３Ａレンズ群Ｂ３Ａの負の屈折力が強くなると、第３レンズ群Ｂ３を分割した効果が少なくなり、防振の作用が小さくなり好ましくない。防振作用が小さくなると、その分、防振動作時に防振レンズ群を移動させる量を増やさねばならず、移動量が増加の分だけスペースを広げることになり、防振機構が大型化してしまい好ましくない。さらに移動量が増加すると応答速度や制御性が悪化し好ましくない。
【００３０】
条件式（３）の下限値を越えると第３レンズ群Ｂ３を全体として正の屈折力に保つために第３Ｂレンズ群Ｂ３Ｂの正の屈折力もそれに応じて強くなりすぎ、防振動作時の光学性能が劣化してくるので好ましくない。より防振作用と防振動作時の光学特性を保つために、条件式（３）の数値範囲は以下の条件式（３ａ）を満足することがより好ましい。
【００３１】
１．３＜｜ｆ３Ａ／ｆ３Ｂ｜＜２．３    ‥‥‥（３ａ）
この他条件式（４）は広画角かつ高ズーム比でありながら高性能を実現するためのものである。条件式（４）は、ズーム比（変倍比）と収差補正に関する。条件式（４）の下限値を越えると第３レンズ群Ｂ３で発生する収差を補正することが困難となる。特に第３レンズ群Ｂ３は軸上の光線束が高い位置を通過し球面収差が大きく発生しこの補正が困難となり好ましくない。また、上限値を越えると、第３レンズ群Ｂ３を構成する２つの部分レンズ群である第３Ａレンズ群Ｂ３Ａと第３Ｂレンズ群Ｂ３Ｂの光軸上の間隔を十分に取ることが難しくなる。間隔を狭くすると第３Ｂレンズ群Ｂ３Ｂを防振動作させる機構を備えることが困難となり好ましくない。高性能を確保しつつと防振機構設置時に第３Ａレンズ群Ｂ３Ａと第３Ｂレンズ群Ｂ３Ｂ間の間隔を十分保つために、条件式（４）の数値範囲は以下の条件式（４ａ）を満足することがより好ましい。
【００３２】
【数３】
2010237456.tif 000004
【００３３】
高性能を維持しつつ、高ズーム比を達成するために、第１レンズ群は負レンズ、正レンズ、正レンズ、正レンズの４枚構成とすることが好ましい。この際、第１レンズ群Ｂ１の焦点距離ｆ１は条件式（５）を満たすことが好ましい。条件式（５）は、第１レンズ群Ｂ１のパワー（屈折力）に関する好ましい範囲を、望遠端における全系の焦点距離との比で規定している。この条件式（５）の下限を越えると、第１レンズ群Ｂ１のパワーが強くなりすぎ、第１レンズ群Ｂ１での収差の発生量が大きくなり、特に像面湾曲と非点収差が大きく発生してしまう。それを良好に補正するためには、レンズ枚数を増加したり、又は非球面の追加等が必要となってくる。逆に、条件式（５）の上限を越えると、収差補正上は有利だが、第１レンズ群の有効径が増大してしまい好ましくない。条件式（５）の数値範囲は以下の条件式（５ａ）の数値範囲とするとさらに好ましい。
【００３４】
０．７５＜ｆ１／ｆｔ＜９．５０    ‥‥‥（５ａ）
条件式（６）および（７）は第１レンズ群Ｂ１におけるいずれかの正レンズにおける硝材のアッベ数の好ましい範囲を定義するものである。条件式（６）および（７）の下限値を下回ると、望遠端における倍率色収差および軸上色収差を良好に補正することが困難となる。また、これらの条件式（６）、（７）を上回り低分散の硝材を利用すると、屈折率も低くなってしまい、球面収差の補正が困難となってくる。条件式（６）、（７）の数値範囲は以下の条件式（６ａ）、（７ａ）の数値範囲とするとさらに好ましい。
【００３５】
６７＜Ｖ１Ａ＜７２    ‥‥‥（６ａ）
８０＜Ｖ１Ｂ          ‥‥‥（７ａ）
以上のように各実施例によれば、広角端での画角２ωを７１．２度〜７3度と広画角にしつつ、１８倍〜２０倍と高ズーム比でありながら高性能と良好なる防振機能を有したズームレンズを実現している。尚、各実施例において、第１レンズ群Ｌ１の物体側や第４レンズ群Ｌ４の像側に屈折力の小さなレンズ群を付加しても良い。又、テレコンバーターレンズやワイドコンバーターレンズ等を物体側や像側に配置しても良い。
【００３６】
以上のように各実施例によれば、各レンズ群の屈折力配置や各レンズ群のレンズ構成を適切に設定するとともに光学系の一部を構成する比較的小型軽量の第３Ｂレンズ群Ｂ３Ｂを防振レンズ群としている。そしてこの第３Ｂレンズ群Ｂ３Ｂを光軸と垂直方向の成分を持つ方向に移動させて、ズームレンズが振動（傾動）したときの画像のぶれを補正している。これにより、光学系全体の小型化、機構上の簡素化及び駆動手段の負荷の軽減化を図りつつ該レンズ群を偏心させた時の偏心収差を良好に補正したズームレンズを得ている。
【００３７】
以下に、実施例１〜５に各々対応する数値実施例１〜５を示す。各数値実施例において、ｉは物体側からの面の順番を示し、ｒｉは第ｉ番目（第ｉ面）の曲率半径、ｄｉは第ｉ面＋１面との間の間隔、ｎｄｉ、νｄｉはそれぞれｄ線を基準とした第ｉ番目の光学部材の材料の屈折率、アッベ数を示す。また、数値実施例１〜５では最も像側の６つの面は光学ブロックに相当する平面である。非球面形状は光軸からの高さＨの位置での光軸方向の変位を面頂点を基準にしてＸとする。光の進行方向を正としＲを近軸曲率半径、ｋを円錐定数、Ａ３〜Ａ１３を各々非球面係数とする。このとき
【００３８】
【数４】
2010237456.tif 000005
【００３９】
なる式で表している。なお、各実施例においてＡ３〜Ａ１３のうち記載が無い項は０であることを示す。*は非球面形状を有する面を意味している。「ｅ−ｘ」は１０-xを意味している。ＢＦは空気演算でのバックフォーカスである。又、前述の各条件式と数値実施例における諸数値との関係を表−１に示す。
【００４０】
［数値実施例１］
単位 mm
面データ
面番号       r        d      nd         νd
1        277.697    3.20   1.84666    23.9           
2         78.417    1.77                             
3        102.260    7.87   1.59319    67.9           
4       -473.342    0.20                             
5         59.147    8.61   1.49700    81.5           
6        469.988    0.20                             
7         54.259    4.55   1.83481    42.7           
8        112.224  (可変)                             
9         64.116    1.15   2.00069    25.5           
10         11.037    3.85                             
11        137.955    1.00   1.86400    40.6           
12*        30.493    2.64                             
13        -26.474    0.85   1.77250    49.6           
14         39.705    0.90                             
15         30.932    3.10   1.94595    18.0           
16        -56.563  (可変)                             
17(絞り)    ∞       2.73                             
18         80.052    0.80   1.88300    40.8           
19         15.992    4.20   1.84666    23.9           
20        -25.691    0.17                             
21        -22.044    0.80   2.00330    28.3           
22         65.582    4.75                             
23*        46.989    3.00   1.58313    59.4           
24*       -28.227    0.20                             
25       -275.075    0.80   1.80518    25.4           
26         53.576    1.50   1.48749    70.2           
27       -254.230  (可変)                             
28*        29.675    3.60   1.58313    59.4           
29*       -48.318    0.20                             
30         94.258    0.90   1.92286    18.9           
31         28.823    3.50   1.51633    64.1           
32        -38.371  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞       0.50                             
像面        ∞   
非球面データ
第12面
K =-1.09914e+001  A 4= 5.66094e-005  A 6=-1.61718e-008  A 8= 1.63644e-009  A10=-1.40944e-011  A12= 2.00841e-013  
第23面
K = 1.71530e+000  
A 3= 1.28672e-005  A 5=-2.15384e-006  A 7=-9.29422e-009  A 9= 4.82488e-011  A11=-1.03291e-012  
第24面
K =-5.23637e+000  
A 3=-3.21510e-006  A 5=-4.20683e-006  A 7= 2.25990e-008  A 9=-2.52983e-010  
第28面
K =-2.12081e-001  A 4= 1.86431e-005  A 6=-2.32517e-007  A 8= 1.73499e-009  A10= 1.90953e-011  
第29面
K =-4.84583e+000  A 4= 3.10197e-005  A 6=-2.30980e-007  A 8= 2.05564e-009  A10= 1.83243e-011  
各種データ
ズーム比     19.98 
焦点距離       4.23    23.78    84.45     7.87    45.71     6.10  
Fナンバー      1.66     2.34     2.88     1.81     2.65     1.72  
画角          35.62     7.26     2.05    21.05     3.79    26.42  
像高           3.03     3.03     3.03     3.03     3.03     3.03  
レンズ全長   152.41   152.41   152.41   152.41   152.41   152.41  
BF            23.02    26.81    23.07    24.53    26.53    23.90  
d 8            0.84    35.36    46.86    16.95    42.26    10.97  
d16           48.68    14.16     2.66    32.57     7.26    38.55  
d27           12.83     9.04    12.78    11.31     9.32    11.94  
d32            6.00     9.79     6.05     7.52     9.51     6.89  
ズームレンズ群データ
群  始面    焦点距離  
1    1      66.36  
2    9     -10.81  
3a  17     -55.57  
3b  23      38.67  
4   28      25.63  
5   33       ∞    
【００４１】
［数値実施例２］
単位 mm
面データ
面番号       r        d      nd         νd
1        346.791    3.20   1.84666    23.9           
2         79.138    1.96                             
3        106.540    7.87   1.56907    71.3           
4       -324.531    0.20                             
5         59.433    8.61   1.48749    70.2           
6        451.612    0.20                             
7         54.040    4.55   1.83481    42.7           
8        117.963  (可変)                             
9         65.362    1.15   2.00069    25.5           
10         10.694    3.89                             
11        103.693    1.00   1.86400    40.6           
12*        30.808    2.28                             
13        -26.912    0.85   1.77250    49.6           
14         36.434    1.09                             
15         31.195    3.10   1.94595    18.0           
16        -53.422  (可変)                             
17(絞り)    ∞       2.73                             
18         91.770    0.80   1.88300    40.8           
19         15.517    4.20   1.84666    23.9           
20        -25.464    0.15                             
21        -22.326    0.80   2.00330    28.3           
22         67.217    4.75                             
23*        47.140    3.00   1.58313    59.4           
24*       -26.349    0.20                             
25       -204.114    1.50   1.48749    70.2           
26        -34.133    0.50   1.80518    25.4           
27       -235.983  (可変)                             
28*        30.388    3.60   1.58313    59.4           
29*       -48.342    0.20                             
30         89.777    0.90   1.92286    18.9           
31         28.686    3.50   1.51633    64.1           
32        -37.298  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞       0.50                             
像面        ∞   
非球面データ
第12面
K =-1.61035e+001  A 4= 6.63311e-005  A 6=-1.31635e-007  A 8=-3.41046e-009  A10= 5.17685e-011  A12=-1.05754e-014  
第23面
K = 6.01552e+000  
A 3= 1.79683e-005  A 5=-2.14638e-006  A 7=-5.35794e-009  A 9= 2.06751e-010  A11=-1.24056e-012  
第24面
K =-4.77821e+000  
A 3= 5.27602e-006  A 5=-3.80480e-006  A 7= 2.40140e-008  A 9=-8.21649e-011  
第28面
K =-2.61498e-002  A 4= 1.95919e-005  A 6=-2.23737e-007  A 8= 1.72892e-009  A10= 2.17463e-011  
第29面
K =-8.00470e+000  A 4= 2.97023e-005  A 6=-2.11847e-007  A 8= 2.02969e-009  A10= 2.15789e-011  
各種データ
ズーム比     17.95 
焦点距離       4.10    22.33    73.61     7.57    41.82     5.89  
Fナンバー      1.66     2.34     2.88     1.81     2.65     1.72  
画角          36.46     7.73     2.36    21.80     4.14    27.22  
像高           3.03     3.03     3.03     3.03     3.03     3.03  
レンズ全長   152.49   152.49   152.49   152.49   152.49   152.49  
BF            22.86    26.68    24.20    24.35    26.71    23.72  
d 8            0.82    35.75    47.39    17.12    42.74    11.07  
d16           48.95    14.02     2.38    32.65     7.03    38.70  
d27           13.09     9.27    11.74    11.60     9.24    12.22  
d32            5.84     9.66     7.19     7.33     9.69     6.71  
ズームレンズ群データ
群  始面    焦点距離  
1    1      66.92  
2    9     -10.90  
3a  17     -54.19  
3b  23      38.29  
4   28      25.44  
5   33       ∞    
【００４２】
［数値実施例３］
単位 mm
面データ
面番号       r        d      nd         νd
1        279.602    3.20   1.84666    23.9           
2         78.619    1.80                             
3        103.422    7.85   1.59319    67.9           
4       -481.133    0.20                             
5         58.971    8.60   1.49700    81.5           
6        500.860    0.20                             
7         54.232    4.55   1.83481    42.7           
8        110.949  (可変)                             
9         68.002    1.15   2.00069    25.5           
10         10.980    3.85                             
11        125.053    1.00   1.85135    40.1           
12*        29.719    2.67                             
13        -26.734    0.85   1.77250    49.6           
14         41.825    0.84                             
15         31.046    3.10   1.94595    18.0           
16        -54.861  (可変)                             
17(絞り)    ∞       2.53                             
18         89.460    0.80   1.88300    40.8           
19         15.461    4.20   1.84666    23.9           
20        -25.269    0.14                             
21        -22.185    0.80   2.00330    28.3           
22         66.393    4.75                             
23*        46.529    3.60   1.58313    59.4           
24*       -26.933    0.20                             
25       -203.745    2.00   1.48749    70.2           
26        -34.732    0.80   1.80518    25.4           
27       -229.502  (可変)                             
28*        30.580    3.60   1.58313    59.4           
29*       -48.480    0.20                             
30         90.028    0.90   1.92286    18.9           
31         28.776    3.50   1.51633    64.1           
32        -37.052  (可変)                             
33          ∞       0.80   1.52420    60.0           
34          ∞       2.43   1.54400    70.0           
35          ∞       1.50                             
36          ∞      20.00   1.58913    61.1           
37          ∞       0.50   1.49831    65.1           
38          ∞       0.52                             
像面        ∞   
非球面データ
第12面
K =-2.09315e+001  A 4= 1.06195e-004  A 6=-8.10904e-007  A 8= 7.60130e-009  A10= 3.21857e-012  A12=-2.83689e-013  
第23面
K = 2.10328e+000  
A 3= 2.06948e-005  A 5=-1.91231e-006  A 7=-8.07340e-010  A 9= 1.89205e-010  A11=-1.20487e-012  
第24面
K =-4.75167e+000  
A 3= 8.42353e-007  A 5=-3.97374e-006  A 7= 2.93971e-008  A 9=-1.04352e-010  
第28面
K = 9.42037e-002  A 4= 1.84021e-005  A 6=-2.55342e-007  A 8= 3.04586e-009  A10= 1.12969e-011  
第29面
K =-6.51874e+000  A 4= 3.09390e-005  A 6=-2.38880e-007  A 8= 3.19270e-009  A10= 1.17773e-011  
各種データ
ズーム比     17.92 
焦点距離       4.24    22.92    75.94     7.81    42.88     6.08  
Fナンバー      1.66     2.34     2.88     1.81     2.65     1.72  
画角          35.56     7.53     2.28    21.20     4.04    26.49  
像高           3.03     3.03     3.03     3.03     3.03     3.03  
レンズ全長   152.60   152.60   152.60   152.60   152.60   152.60  
BF            22.95    26.63    23.78    24.42    26.51    23.81  
d 8            0.86    35.06    46.46    16.82    41.90    10.89  
d16           48.35    14.15     2.75    32.39     7.31    38.31  
d27           12.58     8.90    11.74    11.11     9.02    11.72  
d32            5.91     9.59     6.75     7.38     9.47     6.77  
ズームレンズ群データ
群  始面    焦点距離  
1    1      66.58  
2    9     -10.95  
3a  17     -54.34  
3b  23      38.43  
4   28      25.47  
5   33       ∞    
【００４３】
［数値実施例４］
単位 mm
面データ
面番号       r        d      nd         νd
1        318.192    3.20   1.84666    23.9           
2         81.838    1.60                             
3        103.621    8.21   1.59319    67.9           
4       -408.911    0.20                             
5         60.968    8.25   1.49700    81.5           
6        410.702    0.20                             
7         55.573    4.55   1.80610    40.9           
8        116.205  (可変)                             
9         55.879    1.15   2.00069    25.5           
10         11.210    3.62                             
11         66.922    1.00   1.80400    46.6           
12*        29.147    2.78                             
13        -23.575    0.85   1.77250    49.6           
14         31.599    0.95                             
15         29.879    3.10   1.94595    18.0           
16        -59.943  (可変)                             
17(絞り)    ∞       2.73                             
18       1676.905    0.80   1.88300    40.8           
19         18.255    4.20   1.84666    23.9           
20         91.810    4.75                             
21*        41.727    3.00   1.58313    59.4           
22*       -29.953    0.20                             
23        -78.632    2.00   1.48749    70.2           
24        -28.539    0.80   1.80518    25.4           
25        -96.230  (可変)                             
26*        31.021    3.60   1.58313    59.4           
27*       -60.209    0.20                             
28        106.902    0.90   1.92286    18.9           
29         31.816    3.50   1.51633    64.1           
30        -34.404  (可変)                             
31          ∞       0.80   1.52420    60.0           
32          ∞       2.43   1.54400    70.0           
33          ∞       1.50                             
34          ∞      20.00   1.58913    61.1           
35          ∞       0.50   1.49831    65.1           
36          ∞       0.65                             
像面        ∞   
非球面データ
第12面
K =-1.09079e+001  A 4= 5.97984e-005  A 6= 3.44579e-008  A 8=-3.61701e-010  A10= 1.53859e-012  A12= 3.22391e-013  
第21面
K = 1.56706e+000  
A 3=-2.66035e-006  A 5=-3.41203e-006  A 7= 1.42072e-009  A 9=-1.58415e-010  A11=-1.82717e-012  
第22面
K =-6.59381e+000  
A 3=-1.75165e-005  A 5=-5.20045e-006  A 7= 3.76211e-008  A 9=-5.37822e-010  
第26面
K =-7.08687e-002  A 4= 2.56548e-005  A 6=-1.71741e-007  A 8= 2.17766e-009  A10= 2.83959e-011  
第27面
K =-5.67683e+000  A 4= 4.28424e-005  A 6=-1.94968e-007  A 8= 2.51556e-009  A10= 3.35745e-011  
各種データ
ズーム比     18.02 
焦点距離       4.28    23.03    77.12     7.86    43.29     6.13  
Fナンバー      1.66     2.34     2.88     1.81     2.65     1.72  
画角          35.29     7.49     2.25    21.08     4.00    26.31  
像高           3.03     3.03     3.03     3.03     3.03     3.03  
レンズ全長   153.76   153.76   153.76   153.76   153.76   153.76  
BF            20.87    25.10    22.85    22.52    25.28    21.84  
d 8            0.85    36.41    48.26    17.44    43.52    11.28  
d16           49.95    14.39     2.54    33.35     7.28    39.52  
d25           15.75    11.52    13.77    14.09    11.34    14.78  
d30            3.70     7.93     5.68     5.35     8.11     4.67  
ズームレンズ群データ
群  始面    焦点距離  
1    1      69.23  
2    9     -10.77  
3a  17     -93.34  
3b  21      41.15  
4   26      26.65  
5   31       ∞    
【００４４】
［数値実施例５］
単位 mm
面データ
面番号       r        d      nd         νd
1        306.011    3.20   1.84666    23.9           
2         80.780    1.61                             
3        103.370    7.87   1.59319    67.9           
4       -420.277    0.20                             
5         59.881    8.61   1.49700    81.5           
6        459.025    0.20                             
7         54.008    4.55   1.83481    42.7           
8        108.629  (可変)                             
9         67.833    1.15   2.00069    25.5           
10         10.783    3.90                             
11        118.264    1.00   1.86400    40.6           
12*        30.370    2.39                             
13        -29.043    0.85   1.77250    49.6           
14         34.993    0.78                             
15         28.091    3.10   1.94595    18.0           
16        -59.090  (可変)                             
17(絞り)    ∞       2.73                             
18         89.649    0.80   1.88300    40.8           
19         19.442    4.20   1.84666    23.9           
20        -15.026    0.80   2.00330    28.3           
21         66.525    4.75                            
22*        46.261    3.80   1.58313    59.4           
23*       -26.727    0.20                             
24       -188.475    2.00   1.48749    70.2           
25        -34.798    0.80   1.80518    25.4           
26       -240.893  (可変)                             
27*        30.582    3.60   1.58313    59.4           
28*       -49.700    0.20                             
29         90.894    0.90   1.92286    18.9           
30         28.619    3.50   1.51633    64.1           
31        -37.266  (可変)                             
32          ∞       0.80   1.52420    60.0           
33          ∞       2.43   1.54400    70.0           
34          ∞       1.50                             
35          ∞      20.00   1.58913    61.1           
36          ∞       0.50   1.49831    65.1           
37          ∞       0.50                             
像面        ∞   
非球面データ
第12面
K =-1.16571e+001  A 4= 5.68030e-005  A 6=-1.22379e-007  A 8= 1.89826e-009  A10=-5.02704e-012  A12= 7.81404e-014  
第22面
K = 4.08781e+000  
A 3= 2.54702e-005  A 5=-2.29925e-006  A 7=-2.27696e-009  A 9= 1.72745e-010  A11=-1.01287e-012  
第23面
K =-5.08368e+000  
A 3= 6.93284e-006  A 5=-3.98105e-006  A 7= 2.52038e-008  A 9=-8.35178e-011  
第27面
K =-1.66559e-001  A 4= 2.11328e-005  A 6=-2.23303e-007  A 8= 1.90708e-009  A10= 2.13572e-011  
第28面
K =-7.41362e+000  A 4= 3.08633e-005  A 6=-2.11300e-007  A 8= 2.17911e-009  A10= 2.15787e-011  
各種データ
ズーム比     19.97 
焦点距離       4.23    23.73    84.40     7.86    45.62     6.09  
Fナンバー      1.66     2.34     2.88     1.81     2.65     1.72  
画角          35.62     7.28     2.06    21.07     3.80    26.43  
像高           3.03     3.03     3.03     3.03     3.03     3.03  
レンズ全長   152.97   152.97   152.97   152.97   152.97   152.97  
BF            22.51    26.30    22.68    24.03    26.06    23.40  
d 8            0.88    35.83    47.48    17.19    42.82    11.13  
d16           49.08    14.13     2.48    32.77     7.14    38.83  
d26           12.79     9.00    12.62    11.28     9.24    11.90  
d31            5.49     9.28     5.66     7.01     9.04     6.38  
ズームレンズ群データ
群  始面    焦点距離  
1    1      67.13  
2    9     -10.90  
3a  17     -58.96  
3b  22      38.60  
4   27      25.80  
5   32       ∞    
【００４５】
【表１】
2010237456.tif 000006
【００４６】
次に本発明のズームレンズを撮影光学系として用いたビデオカメラの実施例を図１１を用いて説明する。図１１において、１０はビデオカメラ本体、１１は本発明のズームレンズによって構成された撮影光学系である。１２は撮影光学系１１によって形成された被写体像を受光するＣＣＤセンサやＣＭＯＳセンサ等の固体撮像素子（光電変換素子）である。１３は撮像素子１２によって光電変換された被写体像に対応する情報を記憶するメモリ、１４は不図示の表示素子に表示された被写体像を観察するためのファインダーである。このように本発明のズームレンズをビデオカメラ等の撮像装置に適用することにより、小型で高い光学性能を有する撮像装置が実現できる。尚、本発明のズームレンズはデジタルスチルカメラにも同様に適用することができる。
【符号の説明】
【００４７】
Ｂ１…第１レンズ群、  Ｂ２…第２レンズ群、  Ｂ３…第３レンズ群、  Ｂ４…第４レンズ群、  Ｂ３Ａ…第３Ａレンズ群、  Ｂ３Ｂ…第３Ｂレンズ群、  ＳＰ…絞り、  ＩＰ…結像面、  Ｇ…ＣＣＤのフォースプレートやローパスフィルター等のガラスブロック、  球面収差…実線：ｄ線、２点鎖線：ｇ線、  非点収差…実線：ｄ線サジタル像面、点線：ｄ線メリディオナル像面、  歪曲…ｄ線、  倍率色収差…２点鎖線：ｇ線
【図１】
2010237456.tif 000008
【図２】
2010237456.tif 000009
【図３】
2010237456.tif 000010
【図４】
2010237456.tif 000011
【図５】
2010237456.tif 000012
【図６】
2010237456.tif 000013
【図７】
2010237456.tif 000014
【図８】
2010237456.tif 000015
【図９】
2010237456.tif 000016
【図１０】
2010237456.tif 000017
【図１１】
2010237456.tif 000018